(57)【要約】【課題】十分な強度を持った、発泡スチロール製の、組立式ドーム型ハウスを提供する。【解決手段】本考案による組立式家屋は、発泡スチロールからなる複数の分割片を接着剤によって接合することにより組み立てられる組立式家屋であって、分割片が、頂部から基部にかけて延びる縦部材を横部材で連結した構造の補強部材と、発泡スチロールの一体成形によって形成され、この分割片を組み立てる際、隣接する分割片の補強部材同士を連結具によって連結すると共に、補強部材の基部をアンカープレートによって基礎に固定し、分割片の外面を外装材によって被覆した。【選択図】図６
0003106307.tif 000002
【実用新案登録請求の範囲】
【請求項１】
発泡スチロールからなる複数の分割片を接着剤によって接合することにより組み立てられる組立式家屋であって、
前記分割片が、頂部から基部にかけて延びる縦部材を横部材で連結した構造の補強部材と、発泡スチロールの一体成形によって形成され、
前記分割片を組み立てる際に、隣接する前記分割片の前記補強部材同士を連結具によって連結すると共に、前記補強部材の基部をアンカープレートによって基礎に固定し、前記分割片の外面を外装材によって被覆したことを特徴とする組立式家屋。
【考案の詳細な説明】
【技術分野】
【０００１】
本考案は、発泡スチロールを構成材とし、金属製の補強部材で補強された、組立式家屋に関する。
【背景技術】
【０００２】
屋外型の宿泊施設として、木材を利用したバンガローが知られている。しかし、バンガローは建設費がかさむ上に、工期も数日間が必要である。また、テント型の宿泊施設は、建設費が安く工期が短いが、耐久性がなく居心地感が劣る。
【０００３】
発泡スチロールを構成材とする組立式ドーム型ハウスは、建設費がかさまず工期が短く、また、耐久性があり高級感のある宿泊施設または住居を実現できる。（特許文献１参照）
【０００４】
このような組立式ドーム型ハウスは、通常、発泡スチロールの層がモルタルなどで補強されており、さらにドーム状であることから、それ自体でも十分な強度を有する。しかし、予期しない土砂崩れや落下物など不測の事態を考慮すると、より強固なものとすることが望まれている。
【特許文献１】国際公開番号ＷＯ０１／４４５９３
【考案の開示】
【考案が解決しようとする課題】
【０００５】
本考案の目的は、十分な強度を持った、発泡スチロールを構成材とする組立式家屋を提供することにある。
【課題を解決するための手段】
【０００６】
上記の目的を達成するため、本考案による組立式家屋は、発泡スチロールからなる複数の分割片を接着剤によって接合することにより組み立てられる組立式家屋であって、前記分割片が、頂部から基部にかけて延びる縦部材を横部材で連結した構造の補強部材と、発泡スチロールの一体成形によって形成され、前記分割片を組み立てる際に、隣接する前記分割片の前記補強部材同士を連結具によって連結すると共に、前記補強部材の基部をアンカープレートによって基礎に固定し、前記分割片の外面を外装材によって被覆したことを特徴とする。
【考案の効果】
【０００７】
組立式家屋を構成する分割片が、金属製の補強部材と発泡スチロールとの一体成形であるから、その強度は発泡スチロールのみの場合に比較して、格段に強化される。従って、不慮の災害時にも建物全体の崩壊を免れることができる。
分割片は、あらかじめ工場で一体成形されるから、現場にて鉄骨等を加工して組み立てる必要がなく、組立作業時間と労力を大幅に節約できる。
一体成形であるから、発泡スチロールが隙間なく金属製補強部材に密着される。これにより発泡スチロールに作用する荷重が、補強部材の全面に伝わり、局所的な応力集中の発生を避けることができる。
縦部材と横部材とを組み合わせた補強部材を分割片に組み込んだから、家屋の強度を格段に向上させることができる。
隣接するドーム分割片の補強部材同士を締結具で締結すると共に、補強部材の基部をアンカープレートでコンクリート製の組立式土台に締結したから、ドーム型ハウスを堅固に据え付けることができる。
【考案を実施するための最良の形態】
【０００８】
以下、図面を参照して本考案による、組立式ドーム型ハウスについて詳細に説明する。
【実施例１】
【０００９】
組立式家屋の例として、発泡スチロールを構成材とした複数のドーム分割片からなる組立式ドーム型ハウスを取り上げ、全体構成および施工方法について説明する。
【００１０】
図１は、本考案による組立式ドーム型ハウスの全体を示す立面図、図２は平面図である。ドーム型ハウス１００は、図１と図２に示すように、１０枚のドーム分割片１０〜１９を集合して、内部に半球状の居住空間を形成したものである。図１において、ＷＤは所定のドーム分割片にあらかじめ設けられた窓部、ＰＴは玄関部である。ドーム型ハウス１００は、コンクリート製の組立式土台３０の上に組み立てられる。
【００１１】
図３はドーム分割片１０、１３の注目した斜視図である。各ドーム分割片１０〜１９は、発泡倍率が１０〜５０倍で、厚さ１０〜５０ｃｍの発泡スチロールを基材として構成される。例えば、積雪が最大で８０ｃｍ程度の場合には、発泡倍率２０倍、厚さ２０ｃｍのドーム分割片とすることができる。積雪がない地域では、発泡倍率を２０倍より大きくし、あるいは厚さを２０ｃｍ以下に薄くできる。積雪が１ｍを越える場合は、発泡倍率を２０倍以下に小さくして強度を確保するか、厚さを厚くする。
図３に示すように、各ドーム分割片１０〜１９には、Ｌ字状の基部ＤＢと、基部ＤＢから立ち上がる接合縁ＤＥ、ＤＤと、先端部ＤＲとを有する。
【００１２】
ドーム分割片１０〜１９の先端部ＤＲは、頂部ジョイント２２（図２参照）で互いに結合される。また、隣接するドーム分割片１０〜１９の接合縁ＤＥ、ＤＤは、互いに接着され」、締結具２１（図１参照）で締結される。Ｌ字状のドーム型ハウスの基部ＤＢは、コンクリート製の組立式土台３０に嵌合して固定される。このようにしてドーム型ハウス１００が組み立てられる。
【００１３】
図４は、補強部材の入ったドーム型ハウスが組み立てられ、外装材を被覆する前の状態の立面図である。なお、窓部ＷＤや玄関部ＰＴの有無等の違いはあっても、基本的な形状は各ドーム分割片１０〜１９ともとも同一である。以下ではドーム分割片１０について説明する。
図４に示すように、補強部材として鉄骨を採用し、ドーム分割片１０には、斜線で示す鉄骨４０が組み込まれている。鉄骨４０はドーム分割片１０の頂部から基部にかけて放射状に延在する縦部材４１と縦部材４１に直交する横部材４２を有し、全体としてドーム型ハウス１００の骨格を形成している。隣接するドーム分割片の鉄骨は、締結具２１で連結される。また、コンクリート製の組立式土台３０に締結される。
【００１４】
ここで、ドーム分割片１０の一体成形について説明する。
図５（ａ）に示すように、ドーム分割片１０は鉄骨４０で組み立てられる。鉄骨４０は断面がコ字形の鋼材である。断面の開口部はドーム内側に向けて配置される。具体的には、ドーム分割片１０の縁部に縦部材４１ａが、その内側にドーム分割片の大きさに応じて、適宜、横部材４２ｂが配置される。
図５（ｂ）、（ｃ）に示すように、縦部材４１と横部材４２は、ボルトＢＴで、縦部材４１と横部材４２が直交するように締結される。なお、溶接などで接合してもよい。鉄骨４０はドーム型ハウス１００の強度を確保するためのものである。
【００１５】
図６は、ドーム分割片を製造する金型と、一体成形される発泡スチロールと鉄骨の関係を示した図である。図６（ａ）に示すように、鉄骨４０をメス金型Ｇ１にセットする。次に、図６（ｂ）に示すように、オス金型Ｇ２をセットする。メス金型Ｇ１は鉄骨４０の外周面とほぼ同一形状であり、鉄骨４０はメス金型Ｇ１に当接した状態となる。鉄骨４０とオス金型Ｇ２との間には隙間ができる。ここが発泡スチロールの板厚となる。
次に、メス金型Ｇ１とオス金型Ｇ２の間に原料である予備発泡したビーズを封入する。図６（ｃ）は、図６（ｂ）のＣ−Ｃ断面図である。図６（ｃ）に示すように、メス金型Ｇ１に設けた加熱孔Ｇ１ａから高圧蒸気を吹き込み、ビーズを加熱する。高圧蒸気は、オス金型Ｇ２の図示しない小孔から外部に抜ける。
【００１６】
これにより金型内でビーズが破裂し、金型の表面形状に沿って、発泡スチロール４３が成形される。図６（ｃ）に示すように、発泡スチロール４３は、コ字形断面を有する鉄骨４０の裏側に周り込み、鉄骨４０の周囲を覆う。これにより鉄骨４０に発泡スチロール４３が密着状態でからみつき接着される。なお、鉄骨４０を貫通する加熱孔４０ａを設けて、鉄骨４０の裏側、すなわちオス金型Ｇ２側に、直接高圧蒸気を吹き込むようにした。これにより、初期段階で鉄骨４０の裏側での発泡を促進させ、発泡スチロールと鉄骨４０の密着性を一層高めている。その後、蒸気を止め、十分に冷やしてから金型を外し、形成されたドーム分割片を取り出す。
【００１７】
図７に、このようにして形成されたドーム分割片の成形体ＭＰの斜視図を示す。
図７に示すように、鉄骨４０はドーム分割片の成形体ＭＰの外側に位置し、鉄骨４０の外周面と発泡スチロール４３の外周面は段差なく形成されている。すなわち、鉄骨４０の一の面は、ドーム子午線に沿って露出している。
図８に示すように、ドーム型ハウスが組み立てられた後、この成形体ＭＰの外表面には、紫外線カットおよび耐水性の塗料４４が吹き付けられる。最後に、成形体ＭＰの外側から、鉄骨４０の下部の横部材が配置される部分に、ドーム型ハウス１００を組立式土台３０に連結するためのネジ孔ＢＨを設け、ドーム分割片１０が完成する。
【００１８】
図９は、組み立てられたドーム型ハウス１００の縦断面図である。
図９に示すように、ドーム型ハウス１００の頂部ジョイント２２は、リング状の枠体２２Ａと枠体２２Ａの内側にはめ込まれた明かり取り用のガラス２２Ｂとを有する。枠体２２Ａの外周面は凹状に形成されている。この凹部２２ａにドーム分割片１０の先端部ＤＲを係合して固定する。
【００１９】
基礎はコンクリート板ＢＢとコンクリート製の組立式土台３０からなる。コンクリート板ＢＢは、円板形状でドーム型ハウス１００の底部よりもやや大径で鉄筋入りである。この上に、全体形状が円環状で、コンクリート製の組立式土台３０が設置される。そして、ドーム分割片１０のＬ字状の基部ＤＢが組立式土台３０の係止凹部３５に嵌合される。次に、コンクリート板ＢＢから出たアンカープレート３６が、ボルトＢＴ締めされてドーム分割片の補強部材と組立式土台３０とが締結固定される。
なお、床体３２は、コンクリート板ＢＢの上に砕石３７１が充填され、その上に樹脂フィルム３７２が敷かれ、さらに、その上にコンクリート３７３が敷設されて形成される。床体３２を安定して設置するため、組立式土台３０は段部３３を有する。
【００２０】
ドーム分割片１０〜１９が組み立てられる際、ドーム型ハウス内側の発泡スチロール４３の表面には塗料４４が既に塗られているが、さらに内装材４６が被覆される。また、ドーム分割片１０〜１９の外側の露出している横部材４２を、締結具２１によって連結固定する。さらに、ドーム型ハウス１００の外側全体がモルタルまたは樹脂製の外装材４５で被覆される。これによって、耐水性、防火性、耐光性が向上される。
【００２１】
図１０はドーム分割片１０、１１の締結箇所の斜視図である。図１０に示すように、締結具２１をドーム分割片１０、１１の外側から当て、縦部材４１ａと横部材４２ｂを、ボルトＢＴを貫通孔２１ａに挿通して共締めする。これにより、ドーム分割片１０、１１の鉄骨が相互に接続される。ドーム型ハウス１００は、連続した鋼材により覆われたことと同じになる。従って、ドーム型ハウス１００の強度を高めることができる。図４に示すように、２つのドーム分割片は、高さ方向に５箇所で締結される。
【００２２】
図１１は、組立式土台３０の全体形状を示す平面図である。図１２はその一部分である湾曲した土台ブロックの斜視図である。図１１に示すように、組立式土台３０は、土台ブロック３１０〜３１９を互いに長手方向に結合してなる。全体は、ほぼ円環状で内側に段部３３を設けている。
図１２に示すように、土台ブロック３１０〜３１９の内周側には、床体３２を収容する段部３３０が全周にわたって形成される。土台ブロック３１０〜３１９の外周側の側面には、上下突出部３４０Ａ、３４０Ｂが全周にわたって形成される。上下突出部３４０Ａ、３４０Ｂ間には、嵌合部として利用される凹部３５０が形成される。これにより、組立式土台３０の内周側には、全周にわたって段部３３（図１１参照）が形成される。組立式土台３０の外周側には、全周にわたって係止凹部３５（図９参照）が形成される。土台ブロック３１０〜３１９はガイドピン３６０がガイドピン孔に挿入されて連結される。インサータ３７０は内装部材の固定に使用する。
【００２３】
図１３は、ドーム分割片１０が、基礎に連結される部分の斜視図である。図１３（ａ）、（ｂ）に示すように、コンクリート板ＢＢには、ドーム分割片１０の外周に沿ってアンカープレート３６が埋め込まれている。アンカープレート３６は、それぞれ鉄骨４０の縦部材の位置に対応して設けられている。図１３（ｂ）のａ部詳細図に示すように、ボルト孔３６ａが設けられ、ここにボルトＢＴを挿通し、ドーム分割片１０の下部に設けられたネジ孔ＢＨ（図８参照）に螺合する。これにより、アンカープレート３６と鉄骨４０とが締結される。土台ブロック３１０〜３１９の外周面にも、ネジ孔が設けられており、アンカープレート３６と土台ブロック３１０〜３１９とが、同様にボルトＢＴによって締結される。これによって、ドーム分割片１０〜１９が、土台ブロック３１０〜３１９に締結固定される。
【産業上の利用可能性】
【００２４】
本考案の組立式ドーム型ハウスは、バンガローやテントに以上に堅固であり、居住性に優れるものであるから、宿泊施設や一般の家屋としても使用できる。
【図面の簡単な説明】
【００２５】
【図１】本考案による組立式ドーム型ハウスの立面図である。（実施例１）
【図２】本考案による組立式ドーム型ハウスの平面図である。（実施例１）
【図３】本考案による組立式ドーム型ハウスのドーム分割片の斜視図である。（実施例１）
【図４】本考案による補強部材の入ったドーム型ハウスの立面図である。（実施例１）
【図５】本考案によるドーム型ハウスのドーム分割片に組み込まれた鉄骨の斜視図である。（ａ）は鉄骨の組図である。（ｂ）と（ｃ）は組立の様子を示す外観図である。（実施例１）
【図６】本考案によるドーム型ハウスのドーム分割片が金型で一体成形される様子を示す図である。（ａ）はメス金型に鉄骨が装填された図である。（ｂ）はメス金型とオス金型で発泡スチロールと鉄骨のドーム分割片が成形される図であり、（ｃ）は（ｂ）のＣ−Ｃ断面図である。（実施例１）
【図７】本考案によるドーム分割片の完成前成形体ＭＰの斜視図である。（実施例１）
【図８】本考案によるドーム分割片の完成した成形体ＭＰの斜視図である。（実施例１）
【図９】本考案によるドーム型ハウスの断面図である。（実施例１）
【図１０】本考案によるドーム型ハウスの隣接するドーム分割片が、締結具で締結される様子を示す外観図である。（実施例１）
【図１１】本考案によるドーム型ハウスの組立式土台の平面図である。（実施例１）
【図１２】本考案によるドーム型ハウスの土台ブロックの外観図である。（実施例１）
【図１３】本考案によるドーム型ハウスのアンカープレートによる土台との締結部分を示す外観図である。（実施例１）
【符号の説明】
【００２６】
１０〜１９    ドーム分割片
２１    締結具
２１ａ    貫通孔
２２    頂部ジョイント
２２ａ    凹部
２２Ａ    枠体
２２Ｂ    明かり取りのガラス
３０    コンクリート製の組立式土台
３２    床体
３３    段部
３５    係止凹部
３６    アンカープレート
３６ａ    ボルト孔
４０    鉄骨
４０ａ    加熱孔
４１、４１ａ    鉄骨の縦部材
４２、４２ｂ    鉄骨の横部材
４３    発泡スチロール
４４    塗料
４５    外装材
４６    内装材
１００    ドーム型ハウス
３１０〜３１９    土台ブロック
３３０    段部
３４０Ａ、３４０Ｂ    上突出部、下突出部
３５０    係止凹部
３６０    ガイドピン
３７０    インサータ
３７１    砕石
３７２    樹脂フィルム
３７３    コンクリート
ＢＢ    鉄骨入りのコンクリート板
ＢＴ    ボルト
ＢＨ    ネジ孔
ＤＢ    基部
ＤＲ    先端部
ＤＥ、ＤＤ    接合縁
Ｇ１    メス金型
Ｇ１ａ    加熱孔
Ｇ２    オス金型
ＭＰ    ドーム分割片の成形体
ＰＴ    玄関部
ＷＤ    窓部
【図１】
0003106307.tif 000003
【図２】
0003106307.tif 000004
【図３】
0003106307.tif 000005
【図４】
0003106307.tif 000006
【図５】
0003106307.tif 000007
【図６】
0003106307.tif 000008
【図７】
0003106307.tif 000009
【図８】
0003106307.tif 000010
【図９】
0003106307.tif 000011
【図１０】
0003106307.tif 000012
【図１１】
0003106307.tif 000013
【図１２】
0003106307.tif 000014
【図１３】
0003106307.tif 000015